(57)【要約】【課題】ノズル側ホースのホースジョイントをグロメットのノズル側ホースジョイント接続部の液体導出口に簡単かつ確実に嵌め込むことができるワイパ装置を提供する。【解決手段】ワイパモータの出力軸の先端部をインナパネル１６に形成した貫通孔１６ａからアウタパネル１７に形成した貫通孔１７ａに貫通させ、出力軸の先端部にワイパアームの基端部を固定したワイパ装置において、インナパネル１６の貫通孔１６ａに出力軸をシールするグロメット４０嵌め込み、アウタパネル１７の貫通孔１７ａにシールラバー５０を取り付け、グロメットに液体導入口４５ａと液体導出口４４ａを有した連通流路４６を形成し、この液体導出口を有したノズル側ホースジョイント接続部４４をシールラバー５０の取付孔５３に嵌め込むようにした。【選択図】図３
2008279986.tif 000002
【特許請求の範囲】
【請求項１】
インナパネルの内側に出力軸を有したワイパモータを配設し、この出力軸を前記インナパネルに形成した貫通孔からアウタパネルに形成した貫通孔にそれぞれ貫通させて外側に露出させ、この外側に露出した出力軸にウォッシャ液を噴射させるウォッシャノズルを有したワイパアームを固定し、かつ、前記ウォッシャノズルとウォッシャタンクとをホースジョイントを介してホースで接続したワイパ装置において、
前記アウタパネルの貫通孔にシールラバーを取り付けると共に、前記インナパネルの貫通孔をシールするグロメットを前記出力軸に嵌め込み、かつ、前記グロメットにウォッシャ液を導入する液体導入口と該ウォッシャ液を導出する液体導出口を有した連通流路を形成し、この液体導出口を有したノズル側ホースジョイント接続部を前記シールラバーに形成された取付孔に嵌合したことを特徴とするワイパ装置。
【請求項２】
請求項１記載のワイパ装置であって、
前記ノズル側ホースジョイント接続部の外周面及び前記シールラバーの取付孔の内周面を円錐面状にそれぞれ形成したことを特徴とするワイパ装置。
【発明の詳細な説明】
【技術分野】
【０００１】
本発明は、例えば、車両のウインドガラスをウォッシャノズルより噴射したウォッシャ液を介して払拭するウォッシャノズル付きワイパに用いて好適なワイパ装置に関する。
【背景技術】
【０００２】
この種のワイパ装置を車両のリヤウインドガラスを払拭するウォッシャノズル付きリヤワイパとして用いた場合には、図４に示すように、インナパネル１の貫通孔１ａに取り付けられたグロメット２とアウタパネル３の貫通孔３ａに取り付けられたシールラバー４を貫通するホースジョイント９を介してタンク側ホース５及びノズル側ホース８をそれぞれ配索する必要がある。即ち、グロメット２に形成された流路２ａの液体導入口２ｂには、ウォッシャタンク６に接続されたタンク側ホース５のホースジョイント７を嵌め込んである。そして、図示しないワイパアームのウォッシャノズルに接続されたノズル側ホース８のホースジョイント９をシールラバー４に形成された貫通孔４ａに貫通させると共に、グロメット２に形成された流路２ａの液体導出口２ｃに嵌め込むようになっている。
【０００３】
【特許文献１】特開２００５−３５４１０号公報
【発明の開示】
【発明が解決しようとする課題】
【０００４】
しかしながら、前記従来のワイパ装置では、グロメット２の液体導出口２ｃとシールラバー４の貫通孔４ａの位置のバラ付きによりノズル側ホース８を接続したホースジョイント９をグロメット２の液体導出口２ｃに嵌め込む作業が難しかった。また、グロメット２の液体導出口２ｃとシールラバー４の貫通孔４ａの位置がずれていた場合に無理にノズル側ホース８を接続したホースジョイント９をグロメット２の液体導出口２ｃに嵌め込むと、グロメット２の液体導出口２ｃとホースジョイント９との接続部分からウォッシャ液が漏れて水密性を十分に確保することができなかった。
【０００５】
そこで、本発明は、前記した課題を解決すべくなされたものであり、ノズル側ホースを接続したホースジョイントをグロメットのノズル側ホースジョイント接続部の液体導出口に簡単かつ確実に嵌め込むことができると共に、その接続部分の水密性を十分に確保することができるワイパ装置を提供することを目的とする。
【課題を解決するための手段】
【０００６】
請求項１の発明は、インナパネルの内側に出力軸を有したワイパモータを配設し、この出力軸を前記インナパネルに形成した貫通孔からアウタパネルに形成した貫通孔にそれぞれ貫通させて外側に露出させ、この外側に露出した出力軸にウォッシャ液を噴射させるウォッシャノズルを有したワイパアームを固定し、かつ、前記ウォッシャノズルとウォッシャタンクとをホースジョイントを介してホースで接続したワイパ装置において、前記アウタパネルの貫通孔にシールラバーを取り付けると共に、前記インナパネルの貫通孔をシールするグロメットを前記出力軸に嵌め込み、かつ、前記グロメットにウォッシャ液を導入する液体導入口と該ウォッシャ液を導出する液体導出口を有した連通流路を形成し、この液体導出口を有したノズル側ホースジョイント接続部を前記シールラバーに形成された取付孔に嵌合したことを特徴とする。
【０００７】
請求項２の発明は、請求項１記載のワイパ装置であって、記ノズル側ホースジョイント接続部の外周面及び前記シールラバーの取付孔の内周面を円錐面状にそれぞれ形成したことを特徴とする。
【発明の効果】
【０００８】
以上説明したように、請求項１の発明によれば、インナパネルの貫通孔と出力軸との間にグロメットを設けると共に、アウタパネルの貫通孔にシールラバーを取り付け、かつ、グロメットにウォッシャ液を導入する液体導入口と該ウォッシャ液を導出する液体導出口を有した連通流路を形成し、この液体導出口を有したノズル側ホースジョイント接続部をシールラバーに形成された取付孔に嵌合したことにより、この取付孔内に露出したノズル側ホースジョイント接続部の液体導出口にノズル側ホースを接続したノズル側ホースジョイントを差し込む際に、ノズル側ホースを接続したノズル側ホースジョイントをグロメットのノズル側ホースジョイント接続部の液体導出口に簡単かつ確実に嵌め込むことができる。また、グロメットのノズル側ホースジョイント接続部の液体導出口にノズル側ホースジョイントを差し込むため、その接続部分の水密性を十分に確保することができる。
【０００９】
請求項２の発明によれば、ノズル側ホースジョイント接続部の外周面及びシールラバーの取付孔の内周面を円錐面状にそれぞれ形成したことにより、シールラバーの取付孔とグロメットのノズル側ホースジョイント接続部の位置にバラ付きが発生しても、シールラバーの取付孔内にグロメットのノズル側ホースジョイント接続部を簡単かつ確実に挿入することができる。これにより、シールラバーの取付孔より露出したグロメットのノズル側ホースジョイント接続部の液体導出口にノズル側ホースを接続したノズル側ホースジョイントを直に嵌め込むことができ、取付作業性を向上させることができる。また、ノズル側ホースジョイント接続部の外周面及びシールラバーの取付孔の内周面を円錐面状にそれぞれ形成し、シールラバーの取付孔にノズル側ホースジョイント接続部を嵌め込むことで隙間なく嵌合することができるため、水密性を向上することができる。
【発明を実施するための最良の形態】
【００１０】
以下、本発明の一実施形態を図面に基づいて説明する。
【００１１】
図１は本発明の一実施形態のワイパ装置を示す分解斜視図、図２は同ワイパ装置の要部の断面図、図３（ａ）は同グロメットのノズル側ホースジョイント接続部をシールラバーの取付孔に組み付ける前の状態を示す断面図、図３（ｂ）は同組み付け後の状態を示す断面図である。
【００１２】
図１に示すように、ワイパ装置１０は、ワイパモータユニット２０と、このワイパモータユニット２０のピボット軸（出力軸）２４により揺動するウォッシャノズル付きワイパ３０とを備えており、図示しない車両のリヤウインドガラスをウォッシャノズル３４より噴射したウォッシャ液Ｗを介して払拭するものである。
【００１３】
ワイパモータユニット２０は、ワイパアーム３３を装着するピボット軸（出力軸）２４を有したワイパモータ２１と、このワイパモータ２１を取り付けたブラケット２５とを備えている。このワイパモータ２１は、モータ部２２と、このモータ部２２の回転軸の回転を減速する減速機構部２３とを備えており、図示しないボルト等を介してブラケット２５に固定されている。また、減速機構部２３からピボット軸２４が外側に突出するように設けられている。そして、このワイパモータユニット２０は、ブラケット２５の複数の取付片２５ａに取り付けられたラバー２６を介してインナパネル１６より内側に設けられた車体パネル１５に取り付けられるようになっている。
【００１４】
ウォッシャノズル付きワイパ３０は、ピボット軸２４の先端部２４ａにナット１８を介して固定されたアームヘッド（基端部）３１と、このアームヘッド３１を覆うヘッドカバー３２と、アームヘッド３１の支軸３１ａを介して払拭面方向に回動自在に支持されると共に、リヤウインドガラスの払拭面を払拭する図示しないワイパブレードが連結されたワイパアーム３３と、このワイパアーム３３に設けられてウォッシャ液Ｗをリヤウインドガラスの払拭面に噴射させるウォッシャノズル３４と、アームヘッド３１及びワイパアーム３３に沿って配索されると共に、ウォッシャノズル３４に連結されてウォッシャ液Ｗを供給するノズル側ホース３５とを備えている。
【００１５】
インナパネル１６の内側に配設されたワイパモータ２１のピボット軸２４の先端部２４ａは、インナパネル１６に形成した貫通孔１６ａからアウタパネル１７に形成した貫通孔１７ａにそれぞれ貫通して外側に露出している。この外側に露出したピボット軸２４の先端部２４ａには、ウォッシャ液Ｗを噴射させるウォッシャノズル３４を有したワイパアーム３３の基端部を成すアームヘッド３１を図示しないナットを介して締結固定してある。そして、図１に示すように、ウォッシャノズル３４とウォッシャタンク３９とは、各ホースジョイント３６，３７と後述するグロメット４０を介してノズル側ホース３５及びタンク側ホース３８で接続されている。
【００１６】
また、インナパネル１６の貫通孔１６ａとピボット軸２４との間にはゴム製のグロメット４０を介在してある。さらに、アウタパネル１７の貫通孔１７ａとピボット軸２４との間にはゴム製のシールラバー５０を介在してある。
【００１７】
図１〜図３に示すように、グロメット４０は、ゴム製のグロメット本体４１を有している。このグロメット本体４１は、両端側の一方が大径になると共に他方が小径となった略楕円板状に形成してあり、その外周面４１ａにインナパネル１６の貫通孔１６ａに取り付けられる環溝状の嵌合凹部４２を形成してある。グロメット本体４１の大径の一端側にはピボット軸２４が貫通して圧接される円形の取付孔４３を形成してある。また、グロメット本体４１の前面４１ｂの小径の他端側には、ウォッシャ液Ｗを導出する液体導出口（液体吐出口）４４ａを有したノズル側ホースジョイント接続部４４を一体突出形成してあると共に、該グロメット本体４１の後面４１ｃの小径の他端側には、ウォッシャ液を導入する液体導入口（液体供給口）４５ａを有したタンク側ホースジョイント接続部４５を一体突出形成してある。そして、図２及び図３（ａ），（ｂ）に示すように、ノズル側ホースジョイント接続部４４とタンク側ホースジョイント接続部４５とは側面Ｌ字形に形成されている。即ち、ノズル側ホースジョイント接続部４４のウォッシャ液Ｗを導出する液体導出口４４ａとタンク側ホースジョイント接続部４５のウォッシャ液Ｗを導入する液体導入口４５ａとは、Ｌ字形の連通流路４６で連通されている。
【００１８】
また、図１及び図３に示すように、ノズル側ホースジョイント接続部４４の外周面４４ｂは円錐面状に形成してある。さらに、図２，図３（ｂ）に示すように、ノズル側ホースジョイント接続部４４は、シールラバー５０に形成された取付孔５３まで突出するように長尺に形成されている。そして、シールラバー５０の取付孔５３内に露出したノズル側ホースジョイント接続部４４の液体導出口４４ａには、一方の接続部３６ａをノズル側ホース３５に接続したノズル側ホースジョイント３６の他方の接続部３６ｂを嵌め込むようになっている。さらに、タンク側ホースジョイント接続部４５は円柱状に形成してあり、該円柱状のタンク側ホースジョイント接続部４５の液体導入口４５ａには、一方の接続部３７ａをタンク側ホース３８に接続したタンク側ホースジョイント３７の他方の接続部３７ｂを嵌め込むようになっている。
【００１９】
図１〜図３に示すように、ゴム製のシールラバー５０は両端側の一方が大径になると共に他方が小径となった略楕円板状に形成してある。このシールラバー５０の外周面５０ａには、アウタパネル１７の貫通孔１７ａに取り付けられる環溝状の嵌合凹部５１を形成してある。また、シールラバー５０の大径の一端側には、ピボット軸２４が貫通して圧接される円形の取付孔５２を形成してある。さらに、シールラバー５０の小径の他端側には、ウォッシャ液Ｗを導出する液体導出口４４ａを有したノズル側ホースジョイント接続部４４が挿入される取付孔５３を形成してある。この取付孔５３の内周面５３ａは円錐面状に形成されている。即ち、シールラバー５０の取付孔５３の円錐面状の内周面５３ａの内径は、ノズル側ホースジョイント接続部４４の円錐面状の外周面４４ｂの外径よりも大径に形成されている。これにより、シールラバー５０の取付孔５３内にノズル側ホースジョイント接続部４４が挿入されて、該シールラバー５０の取付孔５３内によりノズル側ホースジョイント接続部４４の液体導出口４４ａが露出するようになっている。
【００２０】
以上実施形態のワイパ装置１０によれば、図２，図３（ｂ）に示すように、インナパネル１６の貫通孔１６ａとワイパモータ２１のピボット軸２４との間にゴム製のグロメット４０を設けると共に、アウタパネル１７の貫通孔１７ａにゴム製のシールラバー５０を取り付け、グロメット４０にウォッシャ液Ｗを導入する液体導入口４５ａと該ウォッシャ液Ｗを導出する液体導出口４４ａを有した連通流路４６を形成し、この液体導出口４４ａを有したノズル側ホースジョイント接続部４４をシールラバー５０に形成された取付孔５３内まで突設させ、この取付孔５３内に露出したノズル側ホースジョイント接続部４４の液体導出口４４ａにノズル側ホース３５を接続したノズル側ホースジョイント３６の一方の接続部３６ｂを直に嵌め込むようにしたことにより、ノズル側ホース３５を接続したノズル側ホースジョイント３６をグロメット４０のノズル側ホースジョイント接続部４４の液体導出口４４ａに簡単かつ確実に嵌め込むことができる。
【００２１】
また、図３（ａ），（ｂ）に示すように、グロメット４０のノズル側ホースジョイント接続部４４の外周面４４ｂ及びシールラバー５０の取付孔５３の内周面５３ａを円錐面状にそれぞれ形成したことにより、シールラバー５０の取付孔５３とグロメット４０のノズル側ホースジョイント接続部４４の位置にバラ付きが発生しても、シールラバー５０の取付孔５３内にグロメット５０のノズル側ホースジョイント接続部４４を簡単かつ確実に挿入することができる。これにより、シールラバー５０の取付孔５３より露出したグロメット４０のノズル側ホースジョイント接続部４４の液体導出口４４ａにノズル側ホース３５を接続したノズル側ホースジョイント３６の他方の接続部３６ｂを直に嵌め込むことができ、取付作業性を向上させることができる。また、グロメット４０のノズル側ホースジョイント接続部４４の液体導出口４４ａにノズル側ホース３５を接続したノズル側ホースジョイント３６の他方の接続部３６ｂが直に嵌め込まれるため、ウォッシャ液Ｗの流路をグロメット４０のみで確保することができる。即ち、グロメット４０のノズル側ホースジョイント接続部４４の液体導出口４４ａとノズル側ホースジョイント３６との水密性を簡単な構造で確実に確保することができる。さらに、ノズル側ホースジョイント接続部４４の外周面４４ｂ及びシールラバー５０の取付孔５３の内周面５３ａを円錐面状にそれぞれ形成し、シールラバー５０の取付孔５３にノズル側ホースジョイント接続部４４を嵌め込むことで両者を隙間なく嵌合することができるため、水密性を向上することができる。
【００２２】
尚、前記実施形態によれば、リヤウインドガラス用のワイパ装置に適用した場合について説明したが、前記実施形態をフロントウインドガラス用のワイパ装置に適用しても良いことは勿論である。また、グロメット及びシールラバーはゴム製のものを用いたが、柔軟性のある樹脂製等のものでも良い。
【図面の簡単な説明】
【００２３】
【図１】本発明の一実施形態のワイパ装置を示す分解斜視図である。
【図２】上記ワイパ装置の要部の断面図である。
【図３】（ａ）は上記グロメットのノズル側ホースジョイント接続部をシールラバーの取付孔に組み付ける前の状態を示す断面図、（ｂ）は同組み付け後の状態を示す断面図である。
【図４】従来のノズル側ホースジョイントをシールラバーとグロメットに組み付ける前の状態を示す断面図である。
【符号の説明】
【００２４】
１０  ワイパ装置
１６  インナパネル
１６ａ  貫通孔
１７  アタパネル
１７ａ  貫通孔
２１  ワイパモータ
２４  ピボット軸（出力軸）
２４ａ  先端部
３１  アームヘッド（基端部）
３３  ワイパアーム
３４  ウォッシャノズル
３５  ノズル側ホース
３６  ノズル側ホースジョイント（ホースジョイント）
３７  タンク側ホースジョイント（ホースジョイント）
３８  タンク側ホース
３９  ウォッシャタンク
４０  グロメット
４４  ノズル側ホースジョイント接続部
４４ａ  液体導出口
４４ｂ  外周面
４５  タンク側ホースジョイント接続部
４５ａ  液体導入口
４６  Ｌ字形の連通流路
５０  シールラバー
５３  取付孔
５３ａ  内周面
Ｗ  ウォッシャ液
【図１】
2008279986.tif 000003
【図２】
2008279986.tif 000004
【図３】
2008279986.tif 000005
【図４】
2008279986.tif 000006